(57)【要約】      （修正有）【課題】組立てが容易であり、かつ、消費者のアイキャッチ効果を高めて商品の販売促進に繋げることができる筐体を提供する。【解決手段】筐体１であって、４つの側辺を有する四角柱形状の本体部１３と、本体部１３の４つの上辺に接する頭部１２であって、正面視において４つの上辺のうち第１の上辺を下底とする倒立台形ＩＴｅを呈し、かつ、左右側面視において第１の上辺に隣接する第２及び第３の上辺をそれぞれ底辺とし２つの上方向交差斜辺を有する三角形Ｔａを呈する頭部１２とを備え、本体部１３及び頭部１２が、４つの側辺、４つの上辺及び４つの上方向交差斜辺から構成されて組み立てられたときに形状を保持する形状保持用罫線とは別に、扁平に折り畳むための折り畳み用罫線を有する。【選択図】図１
0003213444.tif 000002
【実用新案登録請求の範囲】
【請求項１】
筐体であって、
４つの側辺を有する四角柱形状の本体部と、
前記本体部の４つの上辺に接する頭部であって、正面視において前記４つの上辺のうち第１の上辺を下底とする倒立台形を呈し、かつ、左右側面視において前記第１の上辺に隣接する第２及び第３の上辺をそれぞれ底辺とし２つの上方向交差斜辺を有する三角形を呈する前記頭部とを備え、
前記本体部及び前記頭部が、前記４つの側辺、前記４つの上辺及び前記４つの上方向交差斜辺から構成されて組み立てられたときに形状を保持する形状保持用罫線とは別に、扁平に折り畳むための折り畳み用罫線を有する
ことを特徴とする筐体。
【請求項２】
前記本体部がその両側面の縦方向中央に前記折り畳み用罫線としての第１の縦罫線を有し、
前記頭部がその側面に前記第１の縦罫線から延在し前記三角形の頂点に至る前記折り畳み用罫線としての第２の縦罫線を有し、
前記第１及び／又は第２の縦罫線を外側方向に引張することにより、前記本体部及び前記頭部が扁平に折り畳まれることを特徴とする請求項１に記載の筐体。
【請求項３】
さらに、前記本体部の４つの下辺に接する脚部であって、正面視において前記４つの下辺のうち第１の下辺を上底とする台形を呈し、かつ、左右側面視において前記第１の下辺に隣接する第２及び第３の下辺をそれぞれ底辺とし２つの下方向交差斜辺を有する倒立三角形を呈する前記脚部とを備え、
前記脚部が、前記４つの下辺及び前記４つの下方向交差斜辺から構成されて組み立てられたときに形状を保持する形状保持用罫線とは別に、扁平に折り畳むための折り畳み用罫線を有する
ることを特徴とする請求項１に記載の筐体。
【請求項４】
前記本体部がその側面の縦方向中央に前記折り畳み用罫線としての第１の縦罫線を有し、
前記頭部がその側面に前記第１の縦罫線から延在し前記三角形の頂点に至る前記折り畳み用罫線としての第２の縦罫線を有し、
前記脚部がその側面に前記第１の縦罫線から延在し前記倒立三角形の頂点に至る前記折り畳み用罫線としての第３の縦罫線を有し、
前記第１、第２及び／又は第３の縦罫線を外側方向に引張することにより、前記本体部、前記頭部及び前記脚部が扁平に折り畳まれることを特徴とする請求項３に記載の筐体。
【請求項５】
さらに、前記頭部から上方に延在し、少なくとも１つ以上の吊掛穴を有する上方基部を備えることを特徴とする請求項１ないし４のいずれか１項に記載の筐体。
【請求項６】
前記本体部がその正面において開口を有し、前記開口の内部に収納物を載置する棚が設けられていることを特徴とする請求項１ないし５のいずれか１項に記載の筐体。
【考案の詳細な説明】
【技術分野】
【０００１】
本考案は、筐体に関し、さらに詳しくは折り畳み可能な筐体に関する。
【背景技術】
【０００２】
従来、例えば、店舗内に設置する商品の陳列棚、店頭に載置する立体的な看板、飲料物等の食品の容器などとして、折り畳み可能な筐体が用いられている。そして、その筐体自体の斬新なデザインやその表面に商品名や商品のキャッチフレーズ等を印字することで、消費者のアイキャッチ効果を高めて商品の販売促進に繋げている。例えば陳列棚の場合、梱包された商品を店舗で販売するときに、吊り下げ型や載置型の陳列棚が利用されていた。陳列棚は、棚にボックス状のトレイを複数設置し、そのトレイに商品を載置し、通路やレジの近傍の人目につく場所に設置することで、視認性を高め、商品の販売促進を図るようにしている。
【０００３】
ところで、筐体は、組み立てられた状態で出荷されると、包装体積が大きくなるため、組立前の扁平な折り畳んだ状態で出荷され、店舗で起函する作業が必要となる。例えば、図９に示すように、展開された厚紙をサイド貼りし、複数の工程をもって起函することによって、四角形状の陳列棚１００が形成される。したがって、店員は、陳列棚の組立てに技術を要し、かつ、組み立てに手間がかかるという問題があった。このため、組み立てが容易な陳列棚の出現が望まれていた。
【０００４】
一方、特許文献１に、陳列棚の組み立てを容易にするため、一対の側壁の前縁に前壁を梯子状に連設し、両側壁の後縁間に後壁を設け、各前壁、後壁及び一対の側壁で囲まれた部分の底部を棚板で閉止し、各段の棚板上に商品を載せるようにした陳列棚が提案されている。具体的には、その陳列棚は、各棚板を前壁の上縁に折下板を介して繋ぎ、各棚板の後縁に一対の挟持片を突設し、後壁に上向きに切り込んだ棚受板を形成し、挟持片を下方へ、棚受片を水平方向へそれぞれ折り曲げ、挟持片で棚受片を挟む。そして、挟持片及び棚受片基端部にそれぞれ設けた切込を互いに係合させ、棚受片で棚板を受け止める構成にしている。しかしながら、組み立てた時のデザインに斬新さがなく、面白みに欠けるため目立たなく、消費者が素通りしてしまうことが多々あり、その結果、商品の販売促進には繋がらなかった。
【先行技術文献】
【特許文献】
【０００５】
【特許文献１】特開２０００−２８７７９９号公報
【考案の概要】
【考案が解決しようとする課題】
【０００６】
そこで、本考案は、以上のような事情に鑑みてなされたものであり、その目的は、組立てが容易で、かつ、消費者のアイキャッチ効果を高めて商品の販売促進に繋げることができる折り畳み可能な筐体を提供することにある。
【課題を解決するための手段】
【０００７】
上記課題を解決するため、本考案の筐体は、以下のような解決手段を提供する。
【０００８】
（１）本考案の筐体は、筐体であって、４つの側辺を有する四角柱形状の本体部と、前記本体部の４つの上辺に接する頭部であって、正面視において前記４つの上辺のうち第１の上辺を下底とする倒立台形を呈し、かつ、左右側面視において前記第１の上辺に隣接する第２及び第３の上辺をそれぞれ底辺とし２つの上方向交差斜辺を有する三角形を呈する前記頭部とを備え、前記本体部及び前記頭部が、前記４つの側辺、前記４つの上辺及び前記４つの上方向交差斜辺から構成されて組み立てられたときに形状を保持する形状保持用罫線とは別に、扁平に折り畳むための折り畳み用罫線を有することを特徴とする。
【０００９】
（２）本考案の筐体は、（１）に記載の筐体であって、前記本体部がその両側面の縦方向中央に前記折り畳み用罫線としての第１の縦罫線を有し、前記頭部がその側面に前記第１の縦罫線から延在し前記三角形の頂点に至る前記折り畳み用罫線としての第２の縦罫線を有し、前記第１及び／又は第２の縦罫線を外側方向に引張することにより、前記本体部及び前記頭部が扁平に折り畳まれてもよい。
【００１０】
（３）本考案の筐体は、（１）に記載の筐体であって、さらに、前記本体部の４つの下辺に接する脚部であって、正面視において前記４つの下辺のうち第１の下辺を上底とする台形を呈し、かつ、左右側面視において前記第１の下辺に隣接する第２及び第３の下辺をそれぞれ底辺とし２つの下方向交差斜辺を有する倒立三角形を呈する前記脚部とを備え、前記脚部が、前記４つの下辺及び前記４つの下方向交差斜辺から構成されて組み立てられたときに形状を保持する形状保持用罫線とは別に、扁平に折り畳むための折り畳み用罫線を有してもよい。
【００１１】
（４）本考案の筐体は、（３）に記載の筐体であって、前記本体部がその側面の縦方向中央に前記折り畳み用罫線としての第１の縦罫線を有し、前記頭部がその側面に前記第１の縦罫線から延在し前記三角形の頂点に至る前記折り畳み用罫線としての第２の縦罫線を有し、前記脚部がその側面に前記第１の縦罫線から延在し前記倒立三角形の頂点に至る前記折り畳み用罫線としての第３の縦罫線を有し、前記第１、第２及び／又は第３の縦罫線を外側方向に引張することにより、前記本体部、前記頭部及び前記脚部が扁平に折り畳まれてもよい。
【００１２】
（５）本考案の筐体は、（１）ないし（４）に記載の筐体であって、さらに、前記頭部から上方に延在し、少なくとも１つ以上の吊掛穴を有する上方基部を備えてもよい。
【００１３】
（６）本考案の筐体は、（１）ないし（５）に記載の筐体であって、前記本体部がその正面において開口を有し、前記開口の内部に収納物を載置する棚が設けられていてもよい。
【考案の効果】
【００１４】
本考案によれば、組立てが容易で、かつ、消費者のアイキャッチ効果を高めて商品の販売促進に繋げることができる折り畳み可能な筐体を提供することができる。
【図面の簡単な説明】
【００１５】
【図１】本考案の第１及び第２実施形態に係る筐体であって、（ａ）は第１実施形態の正面斜視図、（ｂ）は第２実施形態の正面斜視図、（ｃ）は両実施形態の底面図、（ｄ）は第１実施形態の側面図である。
【図２】本考案の第１実施形態に係る筐体であって、（ａ）はその展開図、（ｂ）は折り畳んだ状態を示す図である。
【図３】本考案の第２実施形態に係る筐体の展開図である。
【図４】本考案の第３実施形態に係る筐体であって、（ａ）はその正面斜視図、（ｂ）は背面図、（ｃ）は側面図である。
【図５】本考案の第３実施形態に係る筐体であって、（ａ）はその展開図、（ｂ）は折り畳んだ状態を示す図である。
【図６】本考案の第３実施形態に係る筐体の載置板の組立手順を示す図である。
【図７】本考案の第３実施形態に係る筐体の変形例である。
【図８】本考案の第４実施形態に係る筐体の正面斜視図である。
【図９】従来の陳列棚の正面斜視図である。
【考案を実施するための形態】
【００１６】
以下、添付図面を参照して、本考案を実施するための形態（以下、実施形態という）について詳細に説明する。なお、実施形態の説明の全体を通して同じ要素には同じ番号を付している。また、以下では、筐体の例として陳列棚を説明するが、このほかにも、例えば、棚を設けずに立体的な看板としたり、飲料物等の食品を収納する容器としたりすることも、もちろん可能である。従って、本考案が陳列棚に係るものに限定されると解釈されてはならない。
【００１７】
（第１実施形態）
図１は、本考案の第１及び第２の実施形態に係る筐体（以降、陳列棚と呼ぶ）の正面斜視図である。図２は、本考案の第１の実施形態に係る陳列棚の展開図である。図３は、本考案の第２の実施形態に係る陳列棚の展開図である。
【００１８】
以下、図１〜図３を参照しながら本考案の第１及び第２実施形態に係る陳列棚の構成について詳細に説明する。図１（ａ）は、本考案の第１の実施形態を示した斜視図である。
【００１９】
本考案の第１実施形態に係る陳列棚１は、矩形扁平状の折り畳み状態と商品を陳列する使用状態とに可逆的に変形可能な陳列棚１である。図１（ａ）に示すように、本考案の第１実施形態に係る陳列棚１は、上方から下方に向かって、上方基部１１と、頭部１２と、本体部１３と、陳列棚１の本体部１３の４つの下辺側の開口を塞ぐ蓋材１９とから構成されている。
【００２０】
本体部１３は、４つの側辺を有する四角柱形状の枠体を有する。頭部１２は、本体部の４つの上辺に接しており、正面視において４つの上辺のうち第１の上辺を下底とする倒立台形を呈し、かつ、左右側面視において第１の上辺に隣接する第２及び第３の上辺をそれぞれ底辺とし２つの上方向交差斜辺を有する三角形を呈する。上方基部１１は、頭部１２から上方に伸在し、少なくとも１つ以上の棚に吊り掛けるための吊掛穴７０を有する。
【００２１】
また、本体部１３及び頭部１２が、４つの側辺、４つの上辺及び４つの上方向交差斜辺から構成されて組み立てられたときに形状を保持する形状保持用罫線とは別に、扁平に折り畳むための折り畳み用罫線を有する。なお、ここでいう罫線とは、山折り、若しくは、谷折りを示す折れ線のことである。
【００２２】
本体部１３がその一方の側面において、その縦方向中央に折り畳み用罫線としての第１罫線２１ａ（第１の縦罫線）を有し、頭部１２がその側面に第１罫線２１ａから延在し三角形の頂点に至る折り畳み用罫線としての第２罫線２１ｂ（第２の縦罫線）を有する。同様に、本体部１３の他方の側面には、第１罫線２２ａ及び第２罫線２２ｂが設けられている。両側面の第１及び／又は第２罫線（２１ａ、２１ｂ）と第１及び／又は第２罫線（２２ａ、２２ｂ）を外側方向に引張することにより、本体部１３及び頭部１２が扁平に折り畳まれる。詳細は後述する。
【００２３】
さらに、本体部１３がその正面において開口を有し、開口の内部に収納物を載置する棚が設けられている。より具体的には、本体部１３は、表裏の少なくとも一方に開口部５５が形成されており、開口部５５の一辺（本説明では下端）から延在されて商品の載置板となる舌片部１７が形成されている。また、背面部のほぼ中央には載置板となる舌片部１７を固定する後述する第１棚板が延在して設けられている。
【００２４】
なお、図１（ｄ）に示すように、頭部１２における傾斜幅Ａと、傾斜幅Ｂはそれぞれほぼ等しく、本体部１３の側面における後述する折り畳み用罫線から前方への幅Ｃ、後方への幅Ｄは、ほぼ等しいことが好ましい。また、前記幅Ａが前記幅Ｃよりも長く、前記幅Ｂが前記幅Ｄよりも長くすることが好ましい。
【００２５】
図２（ａ）は、本考案の第１実施形態の陳列棚１を形成する際に要する紙材を示す平面図である。図２に示す紙材２０は矩形扁平状をなしている。該紙材２０には、図中ｙ方向に延在する第１罫線２１ａ，２２ａ、第２罫線２１ｂ，２２ｂが図中ｘ方向に併設され、図中ｘ方向に延在する第４罫線２３、第５罫線２４、及び第６罫線２５が図中ｙ方向に並設されている。なお、両側面の第１罫線２１ａ，２２ａ、第２罫線２１ｂ，２２ｂは折り畳み用罫線ＦＲであり、第４以降の罫線は、形状保持用罫線ＳＲである。
【００２６】
第４罫線２３ないし第６罫線２５で画される各領域は、図中上方から下方に向かって、上方基部１１、頭部１２、本体部１３を構成するようになっている。
【００２７】
ここでは、第１罫線２１ａ、第１罫線２２ａ、第５罫線２４及び第６罫線２５に囲まれたほぼ中央の領域に、上下に並列された開口のために切り取られた２つの開口部５５が形成された例を示している。
【００２８】
紙材２０には、第４罫線２３と第２罫線２１ｂの交点から開口部５５に向かって角度θ（約３０°）で延在し、第５罫線２４に至った後は第１罫線２１に平行に、さらに第６罫線２５に至る様に第８罫線２７が形成されている。第８罫線２７は、各開口部５５の両脇の一方（図中右側）の近傍部を横切るようにして形成されている。また、第１罫線２１に対して第８罫線２７と線対称に第９罫線２８が形成されている。
【００２９】
また、紙材２０は、第４罫線２３と第２罫線２２の交点から開口部５５に向かって角度θ（約３０°）で延在し、第５罫線２４に至った後は第２罫線２２に平行に、さらに第６罫線２５に至る様に第１０罫線２９が形成されている。第１０罫線２９は、各開口部５５の両脇の他方（図中左側）の近傍部を横切るようにして形成されている。また、第２罫線２２に対して第１０罫線２９と線対象に第１１罫線３０が形成されている。
【００３０】
このように形成される紙材２０は、その両側の各短辺が、第１罫線２１、第２罫線２２を中心に裏側へ折り曲げられ、互いに接着されて、図２（ｂ）に示すように押圧及び引張り可能な折り畳み用罫線ＦＲを縦方向に有する二重壁材が形成される。使用状態において、二重壁材のｙ方向の両端（折り畳み用罫線ＦＲ）を互いに近づける方向（図２（ｂ）に示す矢印方向）に押圧することによって、本体部１３が矩形状に変形される。
【００３１】
また、本体部１３の変形とともに、頭部１２が正面視において４つの上辺のうち第１の上辺ＵＳ１を下底とする倒立台形ＩＴｅに変形し、かつ、左右側面視においては、第１の上辺ＵＳ１に隣接する第２及び第３の上辺ＵＳ２，ＵＳ３をそれぞれ底辺とし２つの上方向交差斜辺ＵＨを有する三角形Ｔａに変形することで、図１（ａ）に示す陳列棚１が形成される。なお、紙材２０は、例えば、段ボール等の厚紙で構成されている。このように、陳列棚１の折り畳み用罫線ＦＲを互いに近づける方向に押圧させる１つの工程で陳列棚１が形成されるため、組立てが容易となる。
【００３２】
図１に示す陳列棚１の前面は、図２（ａ）に示す上方から、第１罫線２１から第１罫線２１と第８罫線２７の交点に向かい、その交点から第８罫線２７を通り、第８罫線２７と第４罫線２３との交点に向かう線と、第２罫線２２から第２罫線２２と第１０罫線２９の交点に向かい、その交点から第１０罫線２９を通り、第１０罫線２９と第４罫線２３に向かう線で画される領域で構成されている。
【００３３】
また、陳列棚１の右側面は、第１罫線２１から、第１罫線２１と第８罫線２７の交点に向かい、その交点から第８罫線２７を通り、第８罫線２７と第４罫線２３の交点に向かい、その交点から第９罫線２８に向かい、その交点から第９罫線２８に向かう線とで画される領域で構成されている。
【００３４】
また、陳列棚１の左側面は、第２罫線２２から、第２罫線２２と第１０罫線２９の交点に向かい、その交点から第１０罫線２９を通り、第１０罫線２９と第４罫線２３の交点に向かい、その交点から第１１罫線３０に向かい、その交点から第１１罫線３０に向かう線とで画される領域で構成されている。
【００３５】
また、陳列棚１の背面は、第１罫線２１から、第１罫線２１と第９罫線２８の交点に向かい、その交点から第９罫線２８を通り、第９罫線２８と第６罫線２５との交点に向かう線と、第２罫線２２から、第２罫線２２と第１１罫線３０の交点に向かい、その交点から第１１罫線３０を通り、第１１罫線３０と第６罫線２５の交点に向かう線で画される領域とで構成されている。
【００３６】
次に、本考案の第１実施形態に係る陳列棚１の載置台に形成される舌片部１７の構成について説明する。図２（ａ）に示すように、舌片部１７は、少なくとも２つ折り可能な第１棚板７１と、第１棚板７１の中央罫線３８を挟んで一方の側に貼着され、第１棚板７１の変形時に第１棚板７１の中央罫線３８を挟んで他方の側を係止する第２棚板７２とを備えている。
【００３７】
陳列棚１の前面に位置する開口部５５には第２棚板７２が罫線３６から延在して設けられている。また、陳列棚１の背面の位置には、開口５３が設けられ、開口５３の下端には罫線４０が設けられ、この罫線４０から第１棚板７１が延在して設けられている。さらに、第１棚板７１は、略中央にｘ方向に延在する罫線３８を設けられている。第１棚板７１は、罫線４０を直角に折り、罫線３８の上端側の糊代を第２棚板７２の裏面に接着剤等により接着する。なお、開口部５５の下方に形成される載置板は、上記と同様の形状であるため、説明を割愛する。このように構成することで使用状態において、二重壁材のｙ方向の両端（折り畳み用罫線ＦＲ）を互いに近づける方向（図２（ｂ）に示す矢印方向）に押圧させることで、使用状態の陳列棚１に変形する。
【００３８】
次に蓋材１９の構成について説明する。図２（ａ）に示すように、ｙ方向右側の第２フラップ５２の中央部には、コの字状の切欠きが形成され、ｙ方向左側の第２フラップ５２には、切欠きに部分に嵌合するように凸部を有している。一対の第１フラップ５１を直角に折り、次に一対の第２フラップ５２を、互いに交差するように突き合された後、切欠きが噛み合わさることで係合する。このため、図１（ｃ）に示すように矩形枠体の下端側を塞ぐロック式の蓋材１９が形成される。このような構成にすることで、例えば、店頭のカウンタ等に載置することが可能となる。
【００３９】
（第２実施形態）
次に、第２実施形態について説明する。図１（ｂ）、図３に示すように、第１実施形態の形態に更に陳列棚１の右側面に位置し、開口部５５と平行に位置する箇所に下端以外を切り込む矩形状のフラップ５７を形成し、下端に位置する罫線４２を直角に曲げることで開口を設けている。また、陳列棚１の左側面に位置する開口及び罫線４３は、同様の形状であるため説明を割愛する。
【００４０】
そして、両フラップ５７、５８上に舌片部１７を形成することで、載置板として、荷重重量の耐久性が上昇する。また側面が開口することで、外部から光が差し込むため、商品のより高い視認性が確保される。なお、フラップ５９、６０及び罫線４４、４５においても上記フラップ５７、５８及び罫線４２、４３と同様の形状を有するため説明を割愛する。
【００４１】
（第３実施形態）
以下、図４、図５を参照しながら本考案の第３実施形態に係る筐体の構成について説明する。図４は、本考案の第３実施形態に係る陳列棚の正面斜視図、背面図及び側面図であり、図５は、本考案の第３実施形態に係る陳列棚の展開図である。図４及び図５は、図１と対応付けて描いた図である。第１の実施形態との差異について説明する。
【００４２】
第３実施形態は、陳列棚１の本体部１３の４つの下辺側の開口を塞ぐ蓋材１９に代わって、脚部１４及び下方基部１５が形成されている。また、載置板の舌片部１７が紙材２０と別形状となっている。詳細は後述する。
【００４３】
よって、図４（ａ）及び図４（ｂ）に示すように、本考案の第３実施形態に係る陳列棚１は、上方から下方に向かって、上方基部１１と、頭部１２と、本体部１３と、脚部１４と、下方基部１５とから構成される。なお、上方基部１１、頭部１２及び本体部１３については、第１実施形態と共通するため、説明を割愛する。
【００４４】
脚部１４は、本体部の４つの下辺に接しており、正面視において４つの下辺のうち第１の下辺ＤＳ１を上底とする台形Ｔｅを呈し、かつ、左右側面視において第１の下辺ＤＳ１に隣接する第２及び第３の下辺ＤＳ２，ＤＳ３をそれぞれ底辺とし２つの下方向交差斜辺ＤＨを有する倒立三角形ＩＴａを呈する。
【００４５】
また、脚部１４が、４つの下辺及び４つの下方向交差斜辺ＤＨから構成されて組み立てられたときに形状を保持する形状保持用罫線ＳＲとは別に、扁平に折り畳むための折り畳み用罫線ＦＲを有する。
【００４６】
本体部１３がその一方の側面において、その縦方向中央に折り畳み用罫線ＦＲとしての第１罫線２１ａ（第１の縦罫線）を有し、頭部１２がその側面に第１罫線２１ａから延在し三角形Ｔａの頂点に至る折り畳み用罫線ＦＲとしての第２罫線２１ｂ（第２の縦罫線）を有する。そして、脚部１４がその側面に第１罫線２１ａから延在し倒立三角形ＩＴａの頂点に至る折り畳み用罫線ＦＲとしての第３罫線２１ｃ（第３の縦罫線）を有する。同様に、本体部１３の他方の側面には、第１罫線２２ａ、第２罫線２２ｂ及び第３罫線２２ｃが設けられている。両側面の第１、第２及び／又は第３罫線（２１ａ、２１ｂ、２１ｃ）と第１、第２及び／又は第３罫線（２２ａ、２２ｂ、２２ｃ）を外側方向に引張することにより、本体部１３、頭部１２及び脚部１４が扁平に折り畳まれる。詳細は後述する。
【００４７】
また、本体部１３がその正面において開口を有し、開口の内部に収納物を載置する棚が設けられている。より具体的には、本体部１３は、表裏の少なくとも一方に開口部１８が形成されており、開口部１８の一辺（本説明では下端）から延在されて商品の載置板となる舌片部１７が形成されている。また、背面部のほぼ中央には載置板となる舌片部１７を固定するスリット７３が形成されており、このスリット７３に舌片部１７の端部を挿入し、折り返して固定される（図４（ｂ）参照）。
【００４８】
なお、図４（ｃ）に示すように、頭部１２及び脚部１４における傾斜幅Ａと、傾斜幅Ｂはそれぞれほぼ等しく、本体部１３の側面における後述する折り畳み用罫線ＦＲから前方への幅Ｃ、後方への幅Ｄは、ほぼ等しいことが好ましい。また、前記幅Ａが前記幅Ｃよりも長く、前記幅Ｂが前記幅Ｄよりも長くすることが好ましい。
【００４９】
図５（ａ）は、本考案の第３実施形態の陳列棚１を形成する際に要する紙材を示す平面図である。図５に示す紙材２０は矩形扁平状をなしている。該紙材２０には、図中ｙ方向に延在する第１罫線２１ａ，２２ａ、第２罫線２１ｂ，２２ｂ、第３罫線２１ｃ，２２ｃが図中ｘ方向に併設され、図中ｘ方向に延在する第４罫線２３、第５罫線２４、第６罫線２５、及び第７罫線２６が図中ｙ方向に並設されている。なお、両側面の第１罫線２１ａ，２２ａ、第２罫線２１ｂ，２２ｂ、第３罫線２１ｃ，２２ｃは折り畳み用罫線ＦＲであり、第４以降の罫線は、形状保持用罫線ＳＲである。
【００５０】
第４罫線２３ないし第７罫線２６で画される各領域は、図中上方から下方に向かって、上方基部１１、頭部１２、本体部１３、脚部１４及び下方基部１５を構成するようになっている。
【００５１】
ここでは、第１罫線２１ａ、第１罫線２２ａ、第５罫線２４及び第６罫線２５に囲まれたほぼ中央の領域に、上下に並列された開口のために切り取られた２つの開口部１８が形成された例を示している。開口部１８の上部には、凸部が形成されており、凸部の上端にはｘ方向に延在する罫線３１、３２を有する。罫線３１、３２を裏側方向に１８０°に折り、接着剤等で固定することによって、開口部１８の荷重における耐久性が増す。また、開口部１８の下端には、載置板となる舌片部が設置され、下端のｘ方向の両端には、商品の落下防止のために凸状となっている。
【００５２】
紙材２０には、第４罫線２３と第２罫線２１ｂの交点から開口部１８に向かって角度θ（約３０°）で延在し、第５罫線２４に至った後は第１罫線２１に平行に、さらに第６罫線２５に至った後は、第７罫線２６と第１罫線２１の交点に至る様に第８罫線２７が形成されている。第８罫線２７は、各開口部１８の両脇の一方（図中右側）の近傍部を横切るようにして形成されている。また、第１罫線２１に対して第８罫線２７と線対称に第９罫線２８が形成されている。
【００５３】
また、紙材２０は、第４罫線２３と第２罫線２２の交点から開口部１８に向かって角度θ（約３０°）で延在し、第５罫線２４に至った後は第２罫線２２に平行に、さらに第６罫線２５に至った後は第７罫線２６と第２罫線２２の交点に至るように第１０罫線２９が形成されている。第１０罫線２９は、各開口部１８の両脇の他方（図中左側）の近傍部を横切るようにして形成されている。また、第２罫線２２に対して第１０罫線２９と線対象に第１１罫線３０が形成されている。
【００５４】
このように形成される紙材２０は、その両側の各短辺が、第１罫線２１、第２罫線２２を中心に裏側へ折り曲げられ、互いに接着されて、図５（ｂ）に示すように押圧及び引張り可能な折り畳み用罫線ＦＲを縦方向に有する二重壁材が形成される。使用状態において、二重壁材のｙ方向の両端（折り畳み用罫線ＦＲ）を互いに近づける方向（図５（ｂ）に示す矢印方向）に押圧することによって、本体部１３が矩形状に変形される。
【００５５】
また、本体部１３の変形とともに、頭部１２が正面視において４つの上辺のうち第１の上辺ＵＳ１を下底とする倒立台形ＩＴｅに変形し、かつ、左右側面視においては、第１の上辺ＵＳ１に隣接する第２及び第３の上辺ＵＳ２，ＵＳ３をそれぞれ底辺とし２つの上方向交差斜辺ＵＨを有する三角形Ｔａに変形する。
【００５６】
また、本体部１３の変形とともに、脚部１４が、正面視において４つの下辺のうち第１の下辺ＤＳ１を上底とする台形Ｔｅに変形し、かつ、左右側面視において第１の下辺ＤＳ１に隣接する第２及び第３の下辺ＤＳ２，ＤＳ３をそれぞれ底辺とし２つの下方向交差斜辺ＤＨを有する倒立三角形ＩＴａに変形することで、図４（ａ）に示す陳列棚１が形成される。なお、紙材２０は、例えば、段ボール等の厚紙で構成されている。また、第３実施形態では、本体部１３と対向する頭部１２、及び脚部１４を設けたが、頭部１２、あるいは脚部１４一方のみでもよい。このように、陳列棚１の折り畳み用罫線ＦＲを互いに近づける方向に押圧させる１つの工程で陳列棚１が形成されるため、組立てが容易となる。
【００５７】
図４に示す陳列棚１の前面は、図５（ａ）に示す上方から、第１罫線２１から第１罫線２１と第８罫線２７の交点に向かい、その交点から第８罫線２７を通り、第８罫線２７と第１罫線２１との交点から第１罫線２１に向かう線と、第２罫線２２から第２罫線２２と第１０罫線２９の交点に向かい、その交点から第１０罫線２９を通り、第１０罫線２９と第２罫線２２の交点から第２罫線２２に向かう線で画される領域で構成されている。
【００５８】
また、陳列棚１の右側面は、第１罫線２１から、第１罫線２１と第８罫線２７の交点に向かい、その交点から第８罫線２７を通り、第８罫線２７と第１罫線２１の交点から第１罫線２１に向かう線と第９罫線２８に向かう線とで画される領域で構成されている。
【００５９】
また、陳列棚１の左側面は、第２罫線２２から、第２罫線２２と第１０罫線２９の交点に向かい、その交点から第１０罫線２９を通り、第１０罫線２９と第２罫線２２の交点から第２罫線２２に向かう線と第１１罫線３０に向かう線とで画される領域で構成されている。
【００６０】
また、陳列棚１の背面は、第１罫線２１から、第１罫線２１と第９罫線２８の交点に向かい、その交点から第９罫線２８を通り、第９罫線２８と第１罫線２１の交点から第１罫線２１に向かう線と、第２罫線２２から、第２罫線２２と第１１罫線３０の交点に向かい、その交点から第１１罫線３０を通り、第１１罫線３０と第２罫線２２の交点から第２罫線２２に向かう線で画される領域とで構成されている。
【００６１】
次に、本考案の第３実施形態に係る陳列棚１の載置台に形成される舌片部１７の構成について図５（ｃ）及び図５（ｄ）を参照して説明する。舌片部１７は、少なくとも２つ折り可能な第１棚板７１と、第１棚板７１の中央罫線３３を挟んで一方の側に貼着され、第１棚板７１の変形時に第１棚板７１の中央罫線３３を挟んで他方の側を係止する第２棚板７２とを備えている。
【００６２】
第１棚板７１には、図５（ｃ）に示すように、第１棚板７１のｘ方向に、ｙ方向に走る中央罫線３３が形成されている。第１棚板７１の中央罫線３３の右側には、ｙ方向に走る右部罫線３４が形成されている。第１棚板７１は、右部罫線３４で直角に折り、右部罫線３４よりも右側の糊代をスリット７３に差し込み、内側面の裏面に接着剤等により接着する。
【００６３】
第１棚板７１の中央罫線３３の左側には、ｙ方向に走る左部罫線３５が形成されている。第１棚板７１は、左部罫線３５で直角に折り、左部罫線３５よりも左側の糊代を開口部１８の下端の裏面に接着剤等により接着する。第２棚板７２には、図５（ｄ）に示すように、第２棚板７２の右側には、スリット７３に差し込まれる突起部が形成されている。このように構成することで使用状態において、二重壁材のｙ方向の両端（折り畳み用罫線ＦＲ）を互いに近づける方向（図５（ｂ）に示す矢印方向）に押圧させる。その結果、図６に示すように、第１棚板７１が展開され、第１棚板７１の中央罫線３３を挟んで一方の側に貼着された第２棚板７２により、第１棚板７１の中央罫線３３を挟んで他方の側が係止される。
【００６４】
また、例えば図７に示すように、舌片部１７の上部に別の基材となるボックス５０を設け、商品等の陳列時の補助パーツとして活用してもよい。なお、接着等の方法は、例えば、接着剤等により接着する方法、ビス等で結合する方法、嵌め込み式で結合する方法等のいずれでもよく、特に制限されない。
【００６５】
次に、上方基部１１の構成について説明する。図５に戻り、本考案の第３実施形態に係る陳列棚１によれば、二重壁材が、頭部１２の上方に延在し、少なくとも１以上の吊掛穴７０（本説明では、左右一対に２つ設けられている）を有する上方基部１１を備える。この吊掛穴７０は、陳列棚１を吊下げて陳列する際に用いられ、吊掛穴７０にフック等を挿通することで、店頭の壁面等に吊り掛けることが可能となる。なお、下方基部１５も同様に吊掛穴７０を設け、例えば、複数の陳列棚１を各吊掛穴７０に紐等で固定し、上下に並列に設置してもよい。
【００６６】
（第４実施形態）
図８は、本考案の第４の実施形態に係る陳列棚の正面斜視図である。以下、図８を参照しながら本考案の第４実施形態に係る陳列棚の構成について詳細に説明する。
【００６７】
図８に示すように、前述した第１〜第３実施例は縦型の形状の陳列棚であったのに対して、第４実施例の陳列棚は、第１実施例の形態を９０°横転させた横型の形状の陳列棚１である。これによって、開口部１８は、横方向に伸張され、縦方向に例えば複数段（図では２段）で形成するようになっている。
【００６８】
より具体的には、本体部１３には、表裏の少なくとも一方に幅広の開口部１８が形成されており、開口部１８の一辺（本説明では下端）から延在されて商品の載置板となる舌片部１７が形成されている。また、背面部のほぼ中央には載置板となる舌片部１７を固定するスリット（図示せず）が形成されており、このスリットに舌片部１７の端部を挿入し、折り返して固定される。
【００６９】
また、上方基部１１と下方基部１５は、それぞれ棚に吊り掛けるための吊掛穴７０を有する。両端面の上方にある吊掛穴７０にフック等を挿通することで、店頭の壁面等に吊り掛けることが可能となる。なお、上方基部１１と下方基部１５の下方に吊掛穴７０を設けることで、例えば、複数の陳列棚１を各吊掛穴７０に紐等で固定し、上下に並列に設置してもよい。
【００７０】
（実施形態の効果）
以上説明のように本実施形態によれば、陳列棚１の折り畳み用罫線ＦＲを互いに近づける方向に押圧させる１つの工程で陳列棚１が形成されるため、組立てが容易な陳列棚１が提供できる。また、陳列棚１の頭部１２又は脚部１４を特殊形状にすることでデザインが斬新化されてアイキャッチ効果が増し、陳列される商品の販売促進に貢献することができる。また、上記実施形態の舌片部１７は、日用雑貨・菓子包装等軽量な物であれば、様々な商品に適用することが可能となる。
【００７１】
以上、具体的な実施形態に基づき、本考案の説明を行ってきたが、本考案は、上記実施形態に限定されるものではない。上記実施形態では、筐体を陳列棚として説明してきたが、例えば、棚を設けずに看板に適用してもよい。本考案の特殊形状を利用し、看板に適用することで、アイキャッチ効果が期待できる。
【符号の説明】
【００７２】
１              陳列棚（筐体）
１１            上方基部
１２            頭部
１３            本体部
１４            脚部
１５            下方基部
２１ａ          第１罫線（第１の縦罫線）
２１ｂ          第２罫線（第２の縦罫線）
２１ｃ          第３罫線（第３の縦罫線）
１７            舌片部
１８            開口部
１９            蓋材
７０            吊掛部
７１            第１棚板
７２            第２棚板
ＩＴｅ          倒立台形
Ｔｅ            台形
ＩＴａ          倒立三角形
Ｔａ            三角形
ＵＨ            上方向交差斜辺
ＤＨ            下方向交差斜辺
ＵＳ１          第１の上辺
ＵＳ２          第２の上辺
ＵＳ３          第３の上辺
ＤＳ１          第１の下辺
ＤＳ２          第２の下辺
ＤＳ３          第３の下辺
ＦＲ            折り畳み用罫線
ＳＲ            形状保持用罫線
【図１】
0003213444.tif 000003
【図２】
0003213444.tif 000004
【図３】
0003213444.tif 000005
【図４】
0003213444.tif 000006
【図５】
0003213444.tif 000007
【図６】
0003213444.tif 000008
【図７】
0003213444.tif 000009
【図８】
0003213444.tif 000010
【図９】
0003213444.tif 000011